(57)【要約】【課題】ドレンホース接続具を回動させてドレン排水溝部材に上方から取付けたり取外したりできる脱着作業性に優れたドレン排水設備セットと、該セットを用いて施工されるドレン排水設備を提供する。【解決手段】ドレン排水設備セットは、ドレン排水溝部材１と、輪郭形状が四角形の支持基部３ｂの左右両側に嵌合側縁部３ｈが形成され、支持基部３ｂの対角線方向の少なくとも一対の角部に、支持基部３ｂを回動させて嵌合側縁部３ｈをドレン排水溝部材１の左右両側の凹条１ｃに嵌合させることを可能にする面取り部３ｉ又はアール部が形成されたドレーンホース接続具３からなる。ドレン排水設備は、貼着面に貼着したドレン排水溝部材１の溝底部の上面で、ドレンホース保持具３の支持基部３ｂを回動させ、支持基部３ｂの嵌合側縁部３ｈをドレン排水溝部材１の凹条１ｃに嵌合させて施工されたものである。【選択図】図１
2010127006.tif 000002
【特許請求の範囲】
【請求項１】
溝底部の左右両側に側堤部が設けられ、側堤部の相対向する内側面に凹条が形成されたドレン排水溝部材と、
ドレンホースを保持するホース保持部の下端に、平面視したときの輪郭形状が四角形である支持基部が設けられ、支持基部の左右両側の側縁部は上記ドレン排水溝部材の凹条に嵌合される嵌合側縁部に形成されており、支持基部の対角線方向の少なくとも一対の角部には、上記ドレン排水溝部材の溝底部の上面において支持基部を回動させて左右両側の嵌合側縁部を左右両側の側堤部の凹条に嵌合させることを可能にするアール部又は面取り部が形成されたドレーンホース接続具と、
を備えることを特徴とするドレン排水設備セット。
【請求項２】
溝底部の左右両側に側堤部が設けられ、側堤部の相対向する内側面に凹条が形成されたドレン排水溝部材であって、少なくとも側堤部が弾性変形の可能な軟質の合成樹脂又はゴムで形成されたドレン排水溝部材と、
ドレンホースを保持するホース保持部の下端に、平面視したときの輪郭形状が四角形である支持基部が設けられ、支持基部の左右両側の側縁部は上記ドレン排水溝部材の凹条に嵌合される嵌合側縁部に形成されており、支持基部の対角線方向の少なくとも一対の角部には、上記ドレン排水溝部材の溝底部の上面において左右両側の側堤部を外側へ弾性変形させながら支持基部を強制的に回動させて左右両側の嵌合側縁部を左右両側の側堤部の凹条に嵌合させることを可能にし、且つ、左右両側の嵌合側縁部を左右両側の側堤部の凹条に嵌合させた状態では支持基部の自由回動を阻止するアール部又は面取り部が形成されたドレーンホース接続具と、
を備えることを特徴とするドレン排水設備セット。
【請求項３】
前記ドレン排水溝部材の左右両側の側堤部に形成された双方の凹条の奥面相互間の間隔に等しい直径を有する仮想円を、該仮想円の中心と前記ドレンホース接続具の支持基部の中心を一致させて描いたとき、アール部又は面取り部が形成された支持基部の少なくとも一対の角部が該仮想円の外側に突き出すように、小さなアール部又は面取り部が少なくとも一対の角部に形成されていることを特徴とする請求項２に記載のドレン排水設備セット。
【請求項４】
前記ドレン排水溝部材の凹条に嵌合される嵌合側縁部が左右両側に形成された蓋部材を、更に含んでなることを特徴とする請求項１ないし請求項３のいずれかに記載のドレン排水設備セット。
【請求項５】
請求項１に記載されたドレン排水設備セットを用いて、ドレン排水溝部材を貼着面に貼着し、ドレン排水溝部材の溝底部の上面にドレンホース接続具の支持基部を載置すると共に、支持基部を回動させ、支持基部の左右両側の嵌合側縁部をドレン排水溝部材の左右両側の側堤部の凹条に嵌合させて、ドレンホース接続具をドレン排水溝部材に取付けたことを特徴とするドレン排水設備。
【請求項６】
請求項２又は請求項３に記載されたドレン排水設備セットを用いて、ドレン排水溝部材を貼着面に貼着し、ドレン排水溝部材の溝底部の上面にドレンホース接続具の支持基部を載置すると共に、支持基部の少なくとも一対の角部に形成されたアール部又は面取り部によってドレン排水溝部材の左右両側の側堤部を外側へ弾性変形させながら支持基部を強制的に回動させ、支持基部の左右両側の嵌合側縁部をドレン排水溝部材の左右両側の側堤部の凹条に嵌合させて、ドレンホース接続具をドレン排水溝部材に自由回動しないように取付けたことを特徴とするドレン排水設備。
【請求項７】
請求項１ないし請求項３のいずれかに記載されたドレン排水設備セットに代えて請求項４に記載されたドレン排水設備セットを用い、ドレン排水溝部材の左右両側の側堤部の凹条に蓋部材の左右両側の嵌合側縁部を嵌合させて、ドレン排水溝部材に更に蓋部材を取付けたことを特徴とする請求項５又は請求項６に記載のドレン排水設備。
【発明の詳細な説明】
【技術分野】
【０００１】
本発明は、空調機や冷房機から出るドレン水を排水するためのドレン排水設備セット、及び、このドレン排水設備セットを用いて施工されるドレン排水設備に関する。
【背景技術】
【０００２】
この種のドレン排水設備として、例えば、屋外の床面に設けたドレン排水溝部材にドレン連結具を取付け、空調機等から引き出したドレンホースをドレン連結具のホース差込孔部に差し込んで、ドレン水をドレン排水溝部材に流すようにしたものが知られている（特許文献１参照）。このドレン排水設備の場合、ドレン排水溝部材に対するドレン連結具の取付けは、ドレン連結具に形成された方形板状の取付部の両側縁を、ドレン排水溝部材の両側堤部の内面に形成された溝部に対して、ドレン排水溝部材の長さ方向一端側から挿入することによって行われており、従って、ドレン連結具はドレン排水溝部材に対して長手方向にスライド脱着可能となっている。
【特許文献１】特開２００７−１１３３５５号公報
【発明の開示】
【発明が解決しようとする課題】
【０００３】
しかしながら、特許文献１のドレン排水設備は、前記のようにドレン連結具をドレン排水溝部材に対して長手方向にスライド脱着することはできても、ドレン連結具を上方からドレン排水溝部材に取付けたり、上方に取外したりすることができないという問題があった。つまり、ドレン排水溝部材にドレン連結具を取付ける場合は、前記のようにドレン連結具の取付部の両側縁をドレン排水溝部材の一端側から両側堤部の溝部に挿入して所望の取付位置までスライドさせる必要があり、ドレン連結具を取外す場合は、ドレン連結具をドレン排水溝部材の端までスライドさせて取付部の両側縁を両側堤部の溝部から抜き取る必要があった。
【０００４】
ところが、ドレン排水設備を設ける場所は屋外のバルコニーや廊下等の床面であることが多く、そのような場所にドレン排水設備を設ける場合は、ドレン排水溝部材の一端が家屋の壁面に近接し、他端がバルコニーの前端側の排水溝に臨むことになり、また、ドレン連結具は、通常、ドレン排水溝部材の家屋壁面に近接した一端部に取付けられることになる。そのため、前記特許文献１のドレン排水設備を採用すると、ドレン連結具の脱着の度ごとに、ドレン連結具をドレン排水溝部材の他端までスライドさせて脱着作業を行わねばならないという面倒さがあり、更にドレン排水溝部材に蓋材を取付けている場合には、ドレン連結具の脱着の度ごとに蓋材を取外したり取付けたりしなければならないという面倒さもあった。
【０００５】
本発明は上記事情の下になされたもので、その解決しようとする課題は、ドレンホース接続具をスライドさせることなく上方からドレン排水溝部材にワンタッチで取付けたり、ドレン排水溝部材から上方にワンタッチで取外したりすることができる脱着作業性に優れたドレン排水設備セット、及び、このドレン排水設備セットを用いて施工されるドレン排水設備を提供することにある。
【課題を解決するための手段】
【０００６】
上記の課題を解決するため、本発明に係る第一のドレン排水設備セットは、
溝底部の左右両側に側堤部が設けられ、側堤部の相対向する内側面に凹条が形成されたドレン排水溝部材と、
ドレンホースを保持するホース保持部の下端に、平面視したときの輪郭形状が四角形である支持基部が設けられ、支持基部の左右両側の側縁部は上記ドレン排水溝部材の凹条に嵌合される嵌合側縁部に形成されており、支持基部の対角線方向の少なくとも一対の角部には、上記ドレン排水溝部材の溝底部の上面において支持基部を回動させて左右両側の嵌合側縁部を左右両側の側堤部の凹条に嵌合させることを可能にするアール部又は面取り部が形成されたドレーンホース接続具と、
を備えることを特徴とするものである。
【０００７】
そして、本発明に係る第二のドレン排水設備セットは、
溝底部の左右両側に側堤部が設けられ、側堤部の相対向する内側面に凹条が形成されたドレン排水溝部材であって、少なくとも側堤部が弾性変形の可能な軟質の合成樹脂又はゴムで形成されたドレン排水溝部材と、
ドレンホースを保持するホース保持部の下端に、平面視したときの輪郭形状が四角形である支持基部が設けられ、支持基部の左右両側の側縁部は上記ドレン排水溝部材の凹条に嵌合される嵌合側縁部に形成されており、支持基部の対角線方向の少なくとも一対の角部には、上記ドレン排水溝部材の溝底部の上面において左右両側の側堤部を外側へ弾性変形させながら支持基部を強制的に回動させて左右両側の嵌合側縁部を左右両側の側堤部の凹条に嵌合させることを可能にし、且つ、左右両側の嵌合側縁部を左右両側の側堤部の凹条に嵌合させた状態では支持基部の自由回動を阻止するアール部又は面取り部が形成されたドレーンホース接続具と、
を備えることを特徴とするものである。
【０００８】
この第二のドレン排水設備セットにおいては、前記ドレン排水溝部材の左右両側の側堤部に形成された双方の凹条の奥面相互間の間隔に等しい直径を有する仮想円を、該仮想円の中心と前記ドレンホース接続具の支持基部の中心を一致させて描いたとき、アール部又は面取り部が形成された支持基部の少なくとも一対の角部が該仮想円の外側に突き出すように、小さなアール部又は面取り部を少なくとも一対の角部に形成するのが良い。ここに、凹条の「奥面」とは、凹条の「奥の側面」、つまり、凹条の開放側と反対側の側面を意味する。
【０００９】
上記のそれぞれのドレン排水設備セットには、ドレン排水溝部材の凹条に嵌合される嵌合側縁部を左右両側に形成した蓋部材が更に含まれていてもよい。
【００１０】
また、第一のドレン排水設備セットを用いて施工される本発明のドレン排水設備は、ドレン排水溝部材を貼着面に貼着し、ドレン排水溝部材の溝底部の上面にドレンホース接続具の支持基部を載置すると共に、支持基部を回動させ、支持基部の左右両側の嵌合側縁部をドレン排水溝部材の左右両側の側堤部の凹条に嵌合させて、ドレンホース接続具をドレン排水溝部材に取付けたことを特徴とするものである。
【００１１】
そして、第二のドレン排水設備セットを用いて施工される本発明のドレン排水設備は、ドレン排水溝部材を貼着面に貼着し、ドレン排水溝部材の溝底部の上面にドレンホース接続具の支持基部を載置すると共に、支持基部の少なくとも一対の角部に形成されたアール部又は面取り部によってドレン排水溝部材の左右両側の側堤部を外側へ弾性変形させながら支持基部を強制的に回動させ、支持基部の左右両側の嵌合側縁部をドレン排水溝部材の左右両側の側堤部の凹条に嵌合させて、ドレンホース接続具をドレン排水溝部材に自由回動しないように取付けたことを特徴とするものである。
【００１２】
上記のそれぞれのドレン排水設備においては、第一、第二のドレン排水設備セットに代えて、前記の蓋部材が更に含まれたドレン排水設備セットを用い、ドレン排水溝部材の左右両側の側堤部の凹条に蓋部材の左右両側の嵌合側縁部を嵌合させて、ドレン排水溝部材に更に蓋部材を取付けるようにしてもよい。
【発明の効果】
【００１３】
本発明の第一のドレン排水設備セットは、ドレンホース接続具の支持基部の対角線方向の少なくとも一対の角部に、特定のアール部又は面取り部、即ち、ドレン排水溝部材の溝底部の上面において該支持基部を回動させて該支持基部の左右両側の嵌合側縁部をドレン排水溝部材の左右両側の側堤部の凹条に嵌合させることを可能にするアール部又は面取り部が形成されているため、ドレン排水溝部材の溝底部の上面にドレンホース接続具の支持基部を載置し、該支持基部を回動させて、該支持基部の左右両側の嵌合側縁部をドレン排水溝部材の左右両側の側堤部の凹条に嵌合させることにより、ドレンホース接続具をドレン排水溝部材の長さ方向にスライドさせることなく上方からドレン排水溝部材の所望の取付位置にワンタッチで取付けることができる。そして、ドレンホース接続具の支持基部を逆向きに回動させて、該支持基部の左右両側の嵌合側縁部とドレン排水溝部材の左右両側の側堤部の凹条との嵌合を解除すると、ドレンホース接続具をスライドさせることなくドレン排水溝部材から上方にワンタッチで取外すことができる。従って、この第一のドレン排水設備セットを用いて施工される本発明のドレン排水設備は、ドレンホース接続具の脱着作業が極く簡単であるため、ドレン排水溝部材のドレンホース接続具取付箇所の清掃などのメンテナンスを容易に行うことができる。
【００１４】
また、本発明の第二のドレン排水設備セットは、ドレン排水溝部材の少なくとも左右両側の側堤部が弾性変形の可能な軟質の合成樹脂又はゴムで形成されており、ドレンホース接続具の支持基部の対角線方向の少なくとも一対の角部には、特定のアール部又は面取り部、即ち、ドレン排水溝部材の溝底部の上面において左右両側の側堤部を外側へ弾性変形させながら該支持基部を強制的に回動させて該支持基部の左右両側の嵌合側縁部を左右両側の側堤部の凹条に嵌合させることを可能にし、且つ、左右両側の嵌合側縁部を左右両側の側堤部の凹条に嵌合させた状態では該支持基部の自由回動を阻止するアール部又は面取り部が形成されているため、ドレン排水溝部材の溝底部の上面にドレンホース接続具の支持基部を載置し、該支持基部のアール部又は面取り部でドレン排水溝部材の左右両側の側堤部を外側へ弾性変形させながら該支持基部を強制的に回動させて、該支持基部の左右両側の嵌合側縁部をドレン排水溝部材の左右両側の側堤部の凹条に嵌合させることにより、ドレンホース接続具をドレン排水溝部材の長さ方向にスライドさせることなく上方からドレン排水溝部材の所望の取付位置に自由回動しないようにワンタッチで取付けることができる。そして、ドレンホース接続具の支持基部を逆向きに強制的に回動させて、該支持基部の左右両側の嵌合側縁部とドレン排水溝部材の左右両側の側堤部の凹条との嵌合を解除すると、ドレンホース接続具をスライドさせることなくドレン排水溝部材から上方にワンタッチで取外すことができる。従って、この第二のドレン排水設備セットを用いて施工される本発明のドレン排水設備も、ドレンホース接続具の脱着作業が極く簡単であるため、ドレン排水溝部材のドレンホース接続具取付箇所の清掃などのメンテナンスを容易に行うことができる。また、この第二のドレン排水設備セットを用いて施工される本発明のドレン排水設備は、ドレンホース接続具の自由回動が上記のアール部又は面取り部で阻止されるため、例えば、歩行者の足が引っかかったり、微振動の影響でドレンホース接続具が勝手に回動してドレン排水溝部材から外れる心配を解消することもできる。
【００１５】
本発明の第一及び第二のドレン排水設備セットにおいて、ドレン排水溝部材の凹条に嵌合される嵌合側縁部を左右両側に形成した蓋部材が更に含まれているものは、この蓋部材の嵌合側縁部をドレン排水溝部材の長さ方向一端側からドレン排水溝部材の凹条に挿入して、蓋部材をドレン排水溝部材に取付けることができる。従って、この蓋部材を更に含んだドレン排水設備セットを用いて施工されるドレン排水設備は、ドレン排水溝部材に取付けられた蓋部材によって、土埃などがドレン排水溝部材に入るのを防止してドレン水のスムーズな流れを維持することができ、しかも、蓋部材を取外すことなく、ドレンホース接続具が回動できる程度にずらすだけでドレンホース接続具の支持基部を回動させてドレンホース接続具を脱着し、ドレン排水設備のメンテナンスを簡単に行うことができる。
【発明を実施するための最良の形態】
【００１６】
以下、図面を参照して本発明の具体的な実施形態を詳述する。
【００１７】
図１は本発明に係る第一のドレン排水設備セットの一実施形態を示す斜視図、図２は同セットのドレンホース接続具を示す平面図、図３は同ドレンホース接続具の正面図、図４は図２のＸ−Ｘ線断面図、図５は図２のＹ−Ｙ線断面図、図６の（ａ）及び（ｂ）は同セットのドレン排水溝部材の平面図及び端面図、図６の（ｃ）及び（ｄ）は同セットの蓋部材の平面図及び端面図、図７は同ドレンホース接続具を同ドレン排水溝部材の溝底部の上面に載置したところを示す平面図、図８は同ドレンホース接続具を回動させて同ドレン排水溝部材に取付けたところを示す平面図、図９は本発明に係る第一のドレン排水設備セットを用いて施工されるドレン排水設備の一実施形態を示す斜視図、図１０は同ドレン排水設備の端部断面図、図１１は図１０のＺ−Ｚ線断面である。
【００１８】
図１に示す第一のドレン排水設備セットは、ドレン排水溝部材１と、蓋部材２と、ドレンホース接続具３とからなるものである。
【００１９】
ドレン排水溝部材１は、図１、図６の（ａ）（ｂ）に示すように、縦長の溝底部１ａの左右両側に全長に亘って側堤部１ｂ，１ｂを形成したものであって、この側堤部１ｂ，１ｂの相対向する内側面の下端には、後述する蓋部材２の嵌合側縁部２ａ，２ａやドレンホース接続具３の嵌合側縁部３ｈ，３ｈを嵌合させる凹条１ｃ，１ｃが全長に亘って形成されており、また、溝底部１ａの上面には、少量のドレン水でもスムーズに排水されるように多数の細溝部１ｄが全長に亘って形成されている。尚、この細溝部１ｄは、図１，図７，図８では図示されていない（後の図１２，１５，１６，１８でも同様に図示されていない）。
【００２０】
更に、このドレン排水溝部材１の側堤部１ｂ，１ｂの外側にはフランジ部１ｅ，１ｅが形成されており、このドレン排水溝部材１をバルコニー等の床シートの間に設けた場合に床シートとの間で段差が生じないように、該フランジ部１ｅ，１ｅの厚みが床シートの厚みと同一に設定されている。そして、このフランジ部１ｅ，１ｅと床シートの端面を溶接やコーキングで一体的に接合することによって、バルコニー等の床面の防水を図ることができるようになっている。
【００２１】
第一のドレン排水設備セットのドレン排水溝部材１は、特に材質が限定されるものではなく、例えば、硬質の熱可塑性合成樹脂や金属で形成してもよいし、軟質の熱可塑性合成樹脂や合成ゴムなどで形成してもよい。もっとも、後者の軟質の合成樹脂や合成ゴムでドレン排水溝部材１を形成すると、巻回状態で保管、運搬、販売できる利点があるので好ましい。
【００２２】
一方、蓋部材２は偏平なハット形の断面形状を有するものであって、図６の（ｃ）（ｄ）に示すように、この蓋部材２の左右両側には、前記ドレン排水溝部材１の凹条１ｃ，１ｃに嵌合される一段低い嵌合側縁部２ａ，２ａが形成されている。そして、この蓋部材２の上面には、防滑効果、補強効果、意匠効果、排水効果等を発揮する３本の細帯状のリブ２ｂが形成されており、また、蓋部材２の裏面には、耐荷重を向上させるための３つの支持片２ｃが形成されている。この蓋部材２は、左右の嵌合側縁部２ａ，２ａを前記ドレン排水溝部材１の一端側から該溝部材１の凹条１ｃ，１ｃに挿入、嵌合させることによって、該溝部材１の側堤部１ｂ，１ｂ相互間の上面開口部を覆うように該溝部材１に取付けられる。
【００２３】
この蓋部材２は、特に材質が限定されるものではなく、前記ドレン排水溝部材１と同様の硬質又は軟質の材料を用いて形成されるが、軟質の材料で蓋部材２を形成すると、蓋部材２２を幅方向に凸曲変形させながら上方より嵌合側縁部２ａ，２ａをドレン排水溝部材１の凹条１ｃ，１ｃに嵌め込んで取付けることができる利点があり、また、巻回状態で保管、運搬、販売できる利点もあるので好ましい。
【００２４】
第一のドレン排水設備セットに含まれるドレンホース接続具３は、硬質の熱可塑性合成樹脂で射出成形された成形品であって、このドレンホース接続具３は図９〜図１１に示すようにドレン排水溝部材１に取付けられ、ドレンホース４の下端をホース保持部３ａに上方から差し込んで接続するものである。
【００２５】
更に詳しく説明すると、このドレンホース接続具３は、図１〜図５に示すように、角筒状のホース保持部３ａの下端に支持基部３ｂを形成したものであって、角筒状のホース保持部３ａは、四隅にアールを設けた左右方向に長い略長方形の開口を有しており、図２に仮想線で示すように、２本のドレンホース４ａ，４ｂを並べて上方から差し込むことができるようになっている。そして、ホース保持部３ａの前後の筒壁の内面には山形の隆起部３ｃ，３ｃが形成されおり、この隆起部３ｃ，３ｃによって、いずれか一方のドレンホース４ａ又は４ｂのみをホース保持部３ａのいずれか片側に寄せて差し込むこともできるようになっている。
【００２６】
また、ホース保持部３ａの前後左右の筒壁下部の内面には、図２，図４，図５に示すように、凸リブからなるホース抜止部３ｄが形成されており、図１０，図１１に示すように、山部と谷部を交互に連成したコルゲート状のドレンホース４をホース保持部３ａに差し込むと、ホース抜止部３ｄがドレンホース４の谷部に係合して、ドレンホース４が抜止めされるようになっている。このホース抜止部３ｄは、図２に仮想線で示すように外径が大きいドレンホース４ａをホース保持筒１ａに差し込むとその谷部に深く係合し、外径がそれより数ｍｍ程度小さいドレンホース４ｂを差し込むとその谷部に浅く係合して、いずれの場合もドレンホースを抜止めできるようになっている。尚、この実施形態のホース抜止部３ｄはコ字状に連続する凸リブからなるものであるが、ホース保持部３ａの前後左右の筒壁内面に不連続に形成した突リブからなるものであってもよい。
【００２７】
図３，図５に示すように、ホース保持部３ａの前側の筒壁下端には流出口３ｅが切り欠かれて形成されており、ドレンホースからドレンホース接続具３の内部に流入したドレン水が、この流出口３ｅからドレン排水溝部材１の下流側に向かって流出するようになっている。
【００２８】
また、ホース保持部３ａの前側の筒外壁下部（流出口３ｅの上側）には、前方へ突き出す被覆舌片３ｆが形成されており、図１０に示すように、このドレンホース接続具３をドレン排水溝部材１に取付けると、蓋部材２とドレンホース接続具３との継目Ｊが被覆舌片３ｆで覆われ、継目Ｊが見えなくなって体裁が良くなると共に、継目Ｊからゴミや塵埃がドレン排水溝部材１に入るのを防止できるようになっている。この被覆舌片３ｆは、図２に示すようにホース保持部３ａよりも横幅が広く、図８に示すようにドレンホース接続具３をドレン排水溝部材１に取付けた状態では、被覆舌片３ｆの左右両端部がドレン排水溝部材１の左右両側の側堤部１ｂ，１ｂに係止されるため、ドレンホース接続具３を前方に倒すような力が作用した場合でも、この被覆舌片３ｆが支えとなって、ドレン排水溝部材１からドレンホース接続具１１が外れるのを防止できるようになっている。
【００２９】
上記の被覆舌片３ｆは、ホース保持部１ａの筒外壁下部から後方に突設してもよく、また、不要とあらば省略してもよい。なお、この被覆舌片３ｅの下面に形成された３つの凹部３ｇ（図３参照）は、前記蓋部材２に形成されたリブ２ｂが嵌まり込む凹部である。
【００３０】
このドレンホース接続具３の大きい特徴は、ホース保持部３ａの下端に形成された支持基部３ｂにある。即ち、この支持基部３ｂは、図２に示すように平面視したときの輪郭形状が四角形（本実施形態では左右方向に長い略長方形）となっており、この支持基部３ｂの左右両側の側縁部は、ドレン排水溝部材１の前記凹条１ｃ，１ｃに嵌合される嵌合側縁部３ｈ，３ｈに形成されている。そして、この支持基部３ｂの対角線方向の少なくとも一対の角部（図２では左上と右下の角部）には、面取り部３ｉ，３ｉが形成されている。
【００３１】
上記の面取り部３ｉ，３ｉは、図７に示すようにドレンホース接続具３の支持基部３ｂをドレン排水溝部材１の溝底部１ａの上面に載置し、支持基部３ｂを時計回り方向に回動させて図８，図１１に示すように支持基部３ｂの左右両側の嵌合側縁部３ｈ，３ｈをドレン排水溝部材１の左右両側の側堤部１ｂ，１ｂの凹条１ｃ，１ｃに嵌合させることを可能にするものであって、この面取り部３ｉ，３ｉを形成した支持基部３ｂの一対の角部は、図７，図８に示すように、ドレン排水溝部材１の双方の凹条の奥面１ｆ，１ｆ相互間の間隔に等しい直径を有する仮想円Ｃ１を、該仮想円Ｃ１の中心Ｏと支持基部３ｂの中心を一致させて描いたとき、該仮想円Ｃ１の外側に突き出さないようになっている。
【００３２】
上記のような面取り部３ｉ，３ｉを支持基部３ｂの一対の角部に形成したドレンホース接続具３は、図７に示すように、ドレン排水溝部材１の側堤部１ｂ，１ｂとドレンホース接続具３の支持基部３ｂとが互いに干渉しない状態で、上方から支持基部３ｂをドレン排水溝部材１の溝底部１ａの上面に載置し、支持基部３ｂを時計回り方向に回動させて、図８，図１１に示すように支持基部３ｂの左右両側の嵌合側縁部３ｈ，３ｈをドレン排水溝部材１の凹条１ｃ，１ｃに嵌合させることにより、ドレンホース接続具３をドレン排水溝部材１の長さ方向にスライドさせることなく上方からドレン排水溝部材１の所望の取付位置にワンタッチで取付けることができる。そして、この嵌合状態から、ドレンホース接続具３の支持基部３ｂを逆向き（反時計回り方向）に回動させて、支持基部３ｂの嵌合側縁部３ｈ，３ｈとドレン排水溝部材１の凹条１ｃ，１ｃとの嵌合を解除すると、ドレンホース接続具３をスライドさせることなくドレン排水溝部材１から上方にワンタッチで取外すことができる。なお、ホース保持部３ａのアールを設けた四隅は、図８に示すように、ドレン排水溝部材１の左右両側の側堤部１ｂ，１ｂの内側面相互間の間隔に等しい直径を有する仮想円Ｃ２の外側に突き出していないため、側堤部１ｂ，１ｂの内側面に当たって支持基部３ｂの回動を妨げる心配はない。
【００３３】
上記のドレンホース接続具３は、図７に示すように、ドレンホース接続具３の横幅方向をドレン排水溝部材１の長さ方向に一致させてドレン排水溝部材１の溝底部１ａに載置してもよいし、ドレン排水溝部材１の長さ方向に対して斜め方向に載置してもよい。また、上記のドレンホース接続具３は、図２に示すように、支持基部３ｂの左上と右下の角部に面取り部３ｉ，３ｉを形成しているので、上記のように時計回り方向に回動させて取付けるが、面取り部３ｉ，３ｉを支持基部３ｂの左下と右上の角部に形成する場合は、反時計回り方向に回動させて取付ければよい。
【００３４】
更に、ドレンホース接続具３の支持基部３ｂの一対の角部には、上記の面取り部３ｉ，３ｉに代えてアール部を上記仮想円Ｃ１の外側に突き出さないように形成してもよく、また、時計回り、反時計回りの何れの方向に回動させても取付け、取外しができるように、支持基部３ｂの四隅の全ての角部に面取り部やアール部を形成してもよい。但し、本実施形態のように、一対の角部のうちの何れか一方にのみ面取り部やアール部を形成し、他の一対の角部には面取り部やアール部を形成しない連結具であると、ドレンホース接続具３の支持基部３ｂを回動させてドレン排水溝部材１に取付けるとき、支持基部３ｂの左右両側の嵌合側縁部３ｈ，３ｈがドレン排水溝部材１の凹条１ｃ，１ｃの奥面１ｆ，１ｆに当たってドレンホース接続具３がドレン排水溝部材１と直交状態で回動を停止するので、支持基部３ｂのいずれか一対の角部のみに面取り部やアール部を形成する方が望ましい。なお、同様な効果を奏する連結具としては、他の一対の角部のうちの、さらに一つの角部にのみ面取り部やアール部を形成しなければよい。つまり、四つの角部のうち、一つの角部のみに面取り部やアール部を形成しなければよい。
【００３５】
図９は以上のような本発明の第一のドレン排水設備セットを用いて施工されるドレン排水設備を示したもので、これによれば、前記のドレン排水溝部材１が屋外のバルコニーの側壁に沿ってバルコニーの床面５に接着剤で貼着されている。そして、このドレン排水溝部材１の一端は家屋の壁面６に近接し、他端はバルコニー前端の排水溝７に臨んでいる。
【００３６】
このドレン排水溝部材１の家屋壁面６側の端部には、図９，図１０に示すように、前記のドレンホース接続具３が、その流出口３ｅと被覆舌片３ｆを下流側に向けて取付けられている。そして、家屋壁面６と、ドレン排水溝部材１及びドレンホース接続具３との間に、コーキング材８を詰めることによって、ドレン排水溝部材１からドレン水が漏れ出すのを防止している。家屋壁面６とドレン排水溝部材１とは上記のコーキング材８で固定されているが、ドレンホース接続具３はコーキング材８で固定されていない。ドレンホース接続具３の取付けは、図７，図８，図１１を参照して説明したように、ドレン排水溝部材１の溝底部１ａの上面にドレンホース接続具３の支持基部３ｂを載置して回動させ、支持基部３ｂの左右両側の嵌合側縁部３ｈ，３ｈをドレン排水溝部材１の左右両側の側堤部１ｂ，１ｂの凹条１ｃ，１ｃに嵌合させることによって行われている。なお、上記のコーキング材８は省略してもよい。
【００３７】
ドレン排水溝部材１の溝底部１ａの他の部分（ドレンホース接続具３を取付けた家屋壁面６側の端部を除いた部分）は、ドレン排水溝部材１に前記の蓋部材２を取付けてカバーされており、図１０に示すように、蓋部材２とドレンホース接続具３の継目Ｊは、ドレンホース接続具３の被覆舌片３ｆで被覆されて塵埃の侵入防止と体裁の向上が図られている。この蓋部材２の取付けは、図６を参照して説明したように、蓋部材２の左右両側の嵌合側縁部２ａ，２ａをドレン排水溝部材１の他端側からドレン排水溝部材１の左右両側の凹条１ｃ，１ｃに挿入、嵌合することによって行われている。なお、蓋部材２の取付けは、ドレンホース接続具３を取付けた後に行ってもよいし、ドレンホース接続具３を取付ける前やドレン排水溝部材１を床面に貼着する前に行ってもよいが、後者の場合は、蓋部材２の一部をドレン排水溝部材１から抜き出した状態（ドレンホース接続具３が回動可能な広さを確保するために、蓋部材２をバルコニー前端の排水溝７側にずらした状態）で蓋部材２を取付けておき、ドレンホース接続具３を取付けた後に蓋部材２を全て挿入することが好ましい。
【００３８】
更に、ドレンホース接続具３のホース保持部３ａには、空調機等の室外機９から引き出されたドレンホース４が上方から差し込まれ、図１０，図１１に示すように、ホース保持部３ａの内面のホース抜止部３ｄがドレンホース４の谷部に係合して、抜け出さないように接続されている。
【００３９】
以上のような構成のドレン排水設備では、ドレンホース４からドレンホース接続具３に流入したドレン水が、ドレンホース接続具３の流出口３ｅからドレン排水溝部材１の下流側へスムーズに流出し、ドレン排水溝部材１を流れてバルコニーの排水溝７へ排水される。しかも、蓋部材２とドレンホース接続具３の被覆舌片３ｆによって土埃などがドレン排水溝部材１に入るのを防止しているため、ドレン水のスムーズな流れを維持することができる。但し、ドレン排水セットは各部材が気密的に取付けられているわけではないため、各部材の取付け部の隙間などから土埃が侵入して溝底部などに溜まることがある。このため、定期的にドレンホース接続具３を取外して清掃などのメンテナンスを行うことが望ましいが、その場合、このドレン排水設備は、蓋部材２を少しスライドさせてドレンホース接続具３の支持基部３ｂが回動できる小さな空間をつくり、ドレンホース接続具３の支持基部３ｂを回動させるだけの簡単な作業によって、ドレンホース接続具３をドレン排水溝部材１から上方にワンタッチで取外したり、上方からワンタッチで取付けたりすることができるため、従来のように蓋部材を抜き取ってドレンホース接続具をドレン排水溝部材の他端までスライドさせて取外したり、その逆の手順でドレンホース接続具を取付けたりする面倒な作業が全く不要となり、上記のメンテナンスを容易に行うことができる。
【００４０】
なお、上記実施形態のドレン排水設備では、バルコニー床面５に床シートを貼着していないが、床シートを貼着して床シートの端面とドレン排水溝部材１のフランジ部１ｅを溶接やコーキングで一体的に接合し、防水性を高めるようにしてもよい。
【００４１】
第一のドレン排水設備セットの他の実施形態として、ドレンホース接続具３にドレンホース接続具３の自由な回動を阻止する自由回動阻止部を付加してもよい。ドレンホース接続具３の嵌合側縁部３ｈ，３ｈをドレン排水溝部材１の凹条１ｃ，１ｃに嵌合して取付けた後、歩行者の足が接触したり、微振動でドレンホース接続具３が回動し、ドレン排水溝部材１から外れる懸念がある。そこで、他の実施形態を示す図１９では、ドレンホース接続具３の自由な回動を阻止する自由回動阻止部３ｐをドレンホース接続具３に設けている。図１９の自由回動阻止部３ｐは面取り部３ｉに設けた突起であって、仮想円Ｃ1の外側に突出している。このようにすることで、ドレンホース接続具３が回動しようとすると、自由回動阻止部３ｐが凹条の奥面1ｆに接触（干渉）し、ドレンホース接続具３の自由な回動を阻止することができる。ただし、ドレンホース接続具３の取付け、取外しの際は、ドレンホース接続具３が回動可能なように、自由回動阻止部３ｐは強制回動の回転応力によって変形可能な軟質材で形成されている。尚、自由回動阻止部３ｐは、図１９のように面取り部３ｉに設けるのではなく、他の部位、例えばホース保持部３ａの外壁下端に設けてもよい。また、ドレンホース接続具３が回動可能なように自由回動阻止部３ｐを軟質材で形成するのに代えて、ドレンホース接続具３の回動中に自由回動阻止部３ｐが接触（干渉）する側堤部1ｂを軟質材で形成してもよい。
【００４２】
図１２は本発明に係る第二のドレン排水設備セットの一実施形態を示す斜視図、図１３は同セットのドレンホース接続具を示す平面図、図１４は同ドレンホース接続具の正面図、図１５は同ドレンホース接続具をドレン排水溝部材の溝底部の上面に載置したところを示す平面図、図１６は同ドレンホース接続具を回動させて同ドレン排水溝部材に取付けたところを示す平面図、図１７は本発明に係る第二のドレン排水設備セットを用いて施工されるドレン排水設備の横断面である。
【００４３】
この第二のドレン排水設備セットは、その構成部材の種類が前述の第一のドレン排水設備セットと同様であり、図１２に示すように、ドレン排水溝部材１０と蓋部材２０とドレンホース接続具３０とからなるものであるが、ドレン排水溝部材１０とドレンホース接続具３０が第一のドレン排水設備セットのそれらと少し異なっている。
【００４４】
即ち、この第二のドレン排水設備セットのドレン排水溝部材１０は、第一のドレン排水設備セットと同様に溝底部１ａの左右両側に側堤部１ｂ，１ｂが設けられているが、ドレン排水溝部材１０の各部位のうちの少なくとも側堤部１ｂ，１ｂが弾性変形の可能な軟質の合成樹脂又はゴムで形成されていることを必須とする点で、第一のドレン排水設備セットのドレン排水溝部材１と相違している。また、本実施形態では、図１７に示すように、左右両側の側堤部１ｂ，１ｂの相対向する内側面が、後述するドレンホース接続具３０の支持基部３ｂの段丘部３ｊ，３ｊの外側面に隙間なく接触する凹曲面に形成されている。
【００４５】
このドレン排水溝部材１０の側堤部１ｂ，１ｂ以外の溝底部１ａやフランジ部１ｅ，１ｅは、硬質の合成樹脂や金属で形成してもよいし、軟質の合成樹脂やゴムで形成してもよいが、後者の軟質材料で形成すると、ドレン排水溝部材１０を巻回状態で保管、運搬、販売できる利点があり、また、側堤部１ｂ，１ｂがより弾性変形しやすくなって後述するようにドレンホース接続具３０の取付作業を一層容易に行える利点があるので、後者の軟質材料で形成する方が好ましい。
【００４６】
このドレン排水溝部材１０の他の構成は前述のドレン排水溝部材１のそれと同様であるので、図１２，図１５，図１６，図１７において同じ部位に同じ符号を付すに止め、重複する説明を省略する。
【００４７】
また、蓋部材２０も前述の蓋部材２と同じものであるので、図１２において同じ部位に同じ符号を付すに止め、重複する説明を省略する。
【００４８】
一方、ドレンホース接続具３０は、その支持基部３ｂの構成が前述のドレンホース接続具３のそれと相違している。即ち、このドレンホース接続具３０の支持基部３ｂは、図１３に示すように、平面視したときの輪郭形状が左右方向に長い略長方形であるが、図１４に示すように、左右両側の嵌合側縁部３ｈ，３ｈの内側部分が一段高く隆起した段丘部３ｊ，３ｊに形成されており、図１３に示すように、支持基部３ｂの四隅の角部にはアール部３ｋ，３ｋ，３ｋ，３ｋが形成されている。
【００４９】
上記のアール部３ｋは、図１５に示すようにドレンホース接続具３０の支持基部３ｂをドレン排水溝部材１０の溝底部１ａの上面に載置し、ドレン排水溝部材１０の左右両側の側堤部１ｂ，１ｂを外側へ弾性変形させながら支持基部３ｂを強制的に回動させて、図１６，図１７に示すように支持基部３ｂの左右両側の嵌合側縁部３ｈ，３ｈをドレン排水溝部材１０の左右両側の側堤部１ｂ，１ｂの凹条１ｃ，１ｃに嵌合させることを可能にし、且つ、左右両側の嵌合側縁部３ｈ，３ｈを左右両側の側堤部１ｂ，１ｂの凹条１ｃ，１ｃに嵌合させた状態では支持基部３ｂの自由回動を阻止するものである。それ故、図１５，図１６に示すように、ドレン排水溝部材１０の双方の凹条の奥面１ｆ，１ｆ相互間の間隔に等しい直径を有する仮想円Ｃ１を、該仮想円Ｃ１の中心Ｏと支持基部３ｂの中心を一致させて描いたとき、アール部３ｋを形成した支持基部３ｂの四隅の角部が該仮想円Ｃ１の外側に突き出すように、小さなアール部３ｋが形成されている。但し、アール部３ｋが小さ過ぎて、アール部３ｋを形成した支持基部３ｂの四隅の角部が、ドレン排水溝部材１０の側堤部１ｂ，１ｂを許容限度まで外側へ弾性変形させたときの奥面１ｆ，１ｆ相互間の間隔に等しい直径を有する仮想円Ｃ３から外側へ突き出すようになると、ドレンホース接続具３０の支持基部３ｂが回動不能となるので、該仮想円Ｃ３から突き出さない大きさのアール部３ｋを支持基部３ｂの四隅の角部に形成する必要がある。
【００５０】
上記のアール部３ｋは、図１３に示すように、支持基部３ｂの四隅の角部において嵌合側縁部３ｈ，３ｈから段丘部３ｊ，３ｊに亘って形成してもよいし、支持基部３ｂの四隅の角部において嵌合側縁部３ｈ，３ｈのみに形成してもよい。また、上記のアール部３ｋは、支持基部３ｂの対角線方向の一対の角部のみに形成してもよいが、その場合は、支持基部３ｂを時計回り方向又は反時計回り方向のいずれか一方向に強制的に回動させたときにのみドレンホース保持具３０の取付けが可能となるのに対し、この実施形態のようにアール部３ｋを支持基部３ｂの四隅の角部に形成した場合は、支持基部３ｂをいずれの方向に強制的に回動させてもドレンホース保持具３０の取付けが可能となるので、この実施形態のようにアール部３ｋを支持基部３ｂの四隅の角部に形成する方が望ましい。
【００５１】
上記のアール部３ｋを支持基部３ｂの四隅の角部に形成したドレンホース接続具３０は、図１５に示すように、支持基部３ｂをドレン排水溝部材１０の溝底部１ａの上面に載置し、支持基部３ｂのアール部３ｋでドレン排水溝部材１０の左右両側の側堤部１ｂ，１ｂを外側へ弾性変形させながら、支持基部３ｂを時計回り方向又は反時計回り方向のいずれか一方向（図示のように被覆舌片３ｆが右側になるように載置したときは時計回り方向）に強制的に回動させて、図１６，図１７に示すように支持基部３ｂの左右両側の嵌合側縁部３ｈ，３ｈをドレン排水溝部材１０の凹条１ｃ，１ｃに嵌合させることにより、ドレンホース接続具３０をドレン排水溝部材１０の長さ方向にスライドさせることなく上方からドレン排水溝部材１０の所望の取付位置にワンタッチで取付けることができる。このようにドレンホース接続具３０を取付けた状態では、ドレンホース接続具３０が自由回動しようとしても、アール部３ｋを形成した支持基部３ｂの角部がドレン排水溝部材１０の凹条１ｃ，１ｃの奥面１ｆ，１ｆや側堤部１ｂ，１ｂの内側面に引掛かって自由回動が阻止されるため、ドレンホース接続具３０が自由回動によってドレン排水溝部材１０から勝手に外れることはない。そして、アール部３ｋを形成した支持基部３ｂの角部でドレン排水溝部材１０の左右両側の側堤部１ｂ，１ｂを外側に弾性変形させながら、ドレンホース接続具３０の支持基部３ｂを強制的に回動させて、支持基部３ｂの嵌合側縁部３ｈ，３ｈとドレン排水溝部材１０の凹条１ｃ，１ｃとの嵌合を解除すれば、ドレンホース接続具３０をスライドさせることなくドレン排水溝部材１０から上方にワンタッチで取外すことができる。
【００５２】
なお、ホース保持部３ａのアールを設けた四隅は、図１５，図１７に示すように、前述した仮想円Ｃ２の外側に突き出していないため、上記のドレンホース接続具３０の脱着作業時に側堤部１ｂ，１ｂの内側面に当たって支持基部３ｂの回動を妨げる心配は全くなく、たとえ、ホース保持部３ａの四隅が仮想円Ｃ２の外側に少し突き出していても、ドレンホース接続具３０の脱着作業時には側堤部１ｂ，１ｂが外側へ弾性変形して当たらないので、支持基部３ｂの回動を妨げる心配はない。
【００５３】
この実施形態のドレンホース接続具３０は、支持基部３ｂの四隅の角部にアール部３ｋを形成しているが、アール部３ｋに代えて、面取り部を支持基部３ｂの四隅の角部又は対角線方向の一対の角部に形成し、面取り部を形成した角部が前記仮想円Ｃ１の外側に突き出すけれども、前記仮想円Ｃ３の外側には突き出さないようにしても勿論よい。
【００５４】
図１８は第二のドレン排水設備セットに含まれる他の実施形態のドレンホース接続具をドレン排水溝部材に取付けたところを示す平面図である。
【００５５】
このドレンホース接続具３１は、支持基部３ｂの四隅の角部（又は対角線方向の一対の角部）において、左右両側の嵌合側縁部３ｈ，３ｈにアール部３ｍを形成し、嵌合側縁部３ｈ，３ｈの内側の段丘部３ｊ，３ｊに、アール部３ｍと異なる大きさのアール部３ｎを形成し、嵌合側縁部３ｈ，３ｈのアール部３ｍは前記仮想円Ｃ１の外側に突き出すけれども、前記仮想円Ｃ３の外側には突き出さないようにし、段丘部３ｊ，３ｊのアール部３ｎは前記仮想円Ｃ２の外側へ突き出さないようにしたものである。
【００５６】
上記のように構成すると、ドレンホース保持具３１の支持基部３ｂを強制的に回動させて取付けるときに、段丘部３ｊ，３ｊのアール部３ｎによってドレン排水溝部材１０の側堤部３ｈ，３ｈが外側に弾性変形する必要がないので、その分だけ支持基部３ｂの回動抵抗が減少するので、ドレンホース保持具３１の脱着作業が容易になる利点がある。
【００５７】
このドレンホース保持具３１の他の構成は、前述したドレンホース保持具３０と同様であるので、図１８において同じ部位に同じ符号を付すに止め、重複する説明を省略する。
【００５８】
以上のような第二のドレン排水設備セットを用いて施工されるドレン排水設備は、ドレンホース保持具３０，３１の支持基部３ｂをドレン排水溝部材１０の溝底部１ａの上面で強制的に回動させてドレン排水溝部材１０に取付けるときに、アール部３ｋ又は３ｍと３ｎによってドレン排水溝部材１０の側堤部１ｂ，１ｂを外側へ弾性変形させる点、及び、ドレンホース保持具３０，３１を取付けた状態ではドレンホース保持具３０，３１の支持基部３ｂの自由回動が阻止される点を除いて、前述した第一のドレン排水設備セットを用いて施工される図９のドレン排水設備と同様の構成であり、その作用効果も同様であるので、重複する説明を省略する。
【００５９】
以上の実施形態のドレン排水設備セット及びドレン排水設備は、いずれも蓋部材２を含んでいるが、この蓋部材２は省略することも可能である。
【図面の簡単な説明】
【００６０】
【図１】本発明に係る第一のドレン排水設備セットの一実施形態を示す斜視図である。
【図２】同セットのドレンホース接続具を示す平面図である。
【図３】同ドレンホース接続具の正面図である。
【図４】図３のＸ−Ｘ線断面図である。
【図５】図３のＹ−Ｙ線断面図である。
【図６】（ａ）及び（ｂ）は同セットのドレン排水溝部材の平面図及び端面図、（ｃ）及び（ｄ）は同セットの蓋部材の平面図及び端面図である。
【図７】同ドレンホース接続具を同ドレン排水溝部材の溝底部の上面に載置したところを示す平面図である。
【図８】同ドレンホース接続具を回動させて同ドレン排水溝部材に取付けたところを示す平面図である。
【図９】本発明に係る第一のドレン排水設備セットを用いて施工されるドレン排水設備の一実施形態を示す斜視図である。
【図１０】同ドレン排水設備の端部断面図である。
【図１１】図９のＺ−Ｚ線断面である。
【図１２】本発明に係る第二のドレン排水設備セットの一実施形態を示す斜視図である。
【図１３】同セットのドレンホース接続具を示す平面図である。
【図１４】同ドレンホース接続具の正面図である。
【図１５】同ドレンホース接続具をドレン排水溝部材の溝底部の上面に載置したところを示す平面図である。
【図１６】同ドレンホース接続具を回動させて同ドレン排水溝部材に取付けたところを示す平面図である。
【図１７】本発明に係る第二のドレン排水設備セットを用いて施工されるドレン排水設備の横断面である。
【図１８】本発明の第二のドレン排水設備セットに含まれる他の実施形態のドレンホース接続具をドレン排水溝部材に取付けたところを示す平面図である。
【図１９】本発明の第一のドレン排水設備セットに含まれる他の実施形態のドレンホース接続具を同ドレン排水溝部材の溝底部の上面に載置したところを示す平面図である。
【符号の説明】
【００６１】
１，１０  ドレン排水溝部材
１ａ  溝底部
１ｂ  側堤部
１ｃ  凹条
１ｆ  凹条の奥面
２    蓋部材
２ａ  嵌合側縁部
３，３０，３１  ドレンホース接続具
３ａ  ホース保持部
３ｂ  支持基部
３ｅ  流出口
３ｆ  被覆舌片
３ｈ  嵌合側縁部
３ｉ  面取り部
３ｊ  段丘部
３ｋ，３ｍ，３ｎ  アール部
４，４ａ，４ｂ  ドレンホース
Ｃ１  凹条の奥面相互間の間隔に等しい直径を有する仮想円
Ｃ３  側堤部を許容限度まで外側へ弾性変形させたときの凹条の奥面相互間の間隔に等しい直径を有する仮想円
Ｏ  仮想円の中心
【図１】
2010127006.tif 000003
【図２】
2010127006.tif 000004
【図３】
2010127006.tif 000005
【図４】
2010127006.tif 000006
【図５】
2010127006.tif 000007
【図６】
2010127006.tif 000008
【図７】
2010127006.tif 000009
【図８】
2010127006.tif 000010
【図９】
2010127006.tif 000011
【図１０】
2010127006.tif 000012
【図１１】
2010127006.tif 000013
【図１２】
2010127006.tif 000014
【図１３】
2010127006.tif 000015
【図１４】
2010127006.tif 000016
【図１５】
2010127006.tif 000017
【図１６】
2010127006.tif 000018
【図１７】
2010127006.tif 000019
【図１８】
2010127006.tif 000020
【図１９】
2010127006.tif 000021